(57)【要約】      （修正有）【課題】室内の装飾のため、とりわけスター選手のサイン入り野球ボール等を保存・展示し、鑑賞するための野球ボール用飾り台を提供する。【解決手段】野球ボール用飾り台４は、野球バットが折れることによって得られる打球部とグリップ部とよりなり、打球部に野球ボール８を載置することのできる１以上の凹部５を形成し、打球部側面と床面との間に、グリップ部からなる打球部の動転を防止するための支持台７を配置する。また打球部表面に、サインカード又はサインカードを挟んだカードホルダー１７を挿入できるスリット１１を設けることができる。スター選手が使用し、折れる等破損した野球バットを素材とした野球ボール用飾り台では、シリアル番号が記載された添付のホログラムシール１６を付けることにより、バットの履歴情報及び認証を入手することができる。  【選択図】図７
0003201067.tif 000002
【実用新案登録請求の範囲】
【請求項１】
野球バットが折れることによって得られる打球部とグリップ部とよりなり、前記打球部は野球バット先端からバット径が細くなり始める手前までの部分であり、前記グリップ部はその残余の部分からなり、前記打球部に野球ボールを載置することのできる１以上の凹部を形成し、前記打球部が床面と向かい合う打球部側面と床面との間に前記グリップ部を用いてなる支持台を配置することを特徴とする野球ボール用飾り台。
【請求項２】
前記凹部のエッジ部分に面取りされた面取り部が形成されることを特徴とする請求項１に記載の野球ボール用飾り台。
【請求項３】
カード又はカードホルダーを挿入することのできるスリットが前記打球部表面に形成された請求項１又は請求項２に記載の野球ボール用飾り台。
【請求項４】
前記凹部と前記スリットが交差することを特徴とする請求項３に記載の野球ボール用飾り台。
【請求項５】
前記打球部の前記凹部とは反対側の側部に前記打球部の中心軸と交差する方向に平面が形成されていることを特徴とする請求項１〜４のいずれか一の野球ボール用飾り台。
【請求項６】
前記平面に滑り止め加工が施された請求項５に記載の野球ボール用飾り台。
【請求項７】
前記支持台に打球部先端を嵌め込むことのできる凹部が形成されることを特徴とする請求項１〜６のいずれか一に記載の野球ボール用飾り台。
【請求項８】
前記打球部とグリップ部が単一の野球バットが折れることによって得られた一組であることを特徴とする請求項１〜７のいずれか一に記載の野球ボール用飾り台。。
【請求項９】
ホログラムシールが付されていることを特徴とする請求項１〜８のいずれか一に記載の野球ボール用飾り台。
【考案の詳細な説明】
【技術分野】
【０００１】
この考案は、有名選手のサイン入り野球ボール等の記念ボールを飾り棚や机上等に飾っておくために用いられる、野球ボール用飾り台に関する。
【背景技術】
【０００２】
ボールを飾る目的で、転動させずに保持する器具として、ボールを凹部に載置する台が知られている。あるいは、３本のバットを組み合わせて、ボールを載置できる凹部を設けた飾り台も多く使用されている。
【０００３】
また、サイン等を見やすい状態で飾る目的で、ボールを収納する透明材料製の球状ケースを環状凹部に嵌め合わせたケース付飾り台が考案されている（特許文献１）。
【０００４】
さらに、サインをした選手本人が野球ボールをつかんだ状態での手の容姿をブロンズ像にし、指部分で保持できるようにボールを嵌め込むことのできるサインボールスタンドが考案されている（特許文献２）。
【０００５】
加えて、凹部の深さを二段階設けて、小円部に小さなボールを、大円開口部に大きなボールを載置することのできる運動用ボール飾り台が意匠として創作されている（非特許文献１）。
【先行技術文献】
【特許文献】
【０００６】
【特許文献１】実開平６‐２００９７公報
【特許文献２】実用新案登録３０５７５４７号公報
【非特許文献】
【０００７】
【非特許文献１】意匠登録第１３１４８１４号公報
【考案の概要】
【考案が解決しようとする課題】
【０００８】
しかし、上述の例ではいずれも、飾り台製造のために別途素材を用意しなければならず、また、その素材に応じて金型等も準備しなければならないため、コスト負担が大きい。
【０００９】
一方で、スター選手の使用した野球用具は、高額で取引されるものの、痛んだ用具は廃棄するより他の使い道は、極めて限られる。例えば折れた木製バットについては、箸に加工する以外に使用されていないのが現状である。
【００１０】
本考案は、上述の実態を考慮し、安価で、かつ、ボールそのもののみならず載置台の材料となったもとの用具の履歴を損なわない、全体として、記念的価値を一層高める野球ボール用飾り台を提供することにある。
【課題を解決するための手段】
【００１１】
本考案の野球ボール用飾り台は、野球バット表面に野球ボールを載置しても転動を防止することができる凹部、及び／又は、カード又はカードホルダーを挿入して放置しても転倒を防止することができるスリットを設置し、野球バット及び前記凹部に載置した野球ボールの転動を防ぐ支持台から構成される。
【００１２】
野球バットについては、木製バットのみならず、金属製バット、木片や竹の接合バットが用いられ、本考案はいずれにも適用可能であるが、プロ野球では木製バットの使用のみが認められており、アマチュア野球でも公認された場合のみ金属製バット、木片や竹の接合バットが使用され、本考案がその効果を極めて有効に発揮するのは、野球バットがスター選手の使用したものである場合であり、これらを勘案し、以下では主として、プロ野球において使用される木製バットの形状を述べる。
【００１３】
径の大きい方の先端が、バット先端部である。円筒形を基本形状とし、円周の中心を貫く軸がバットの中心軸であるが、バットの各箇所における径は一様ではない。そのもっとも太い部分の直径が２．６１インチ（６６ｍｍ）以下である。長さは４２インチ（１０６７ｍｍ）以下でなければならない。直径の太い方の先端から始めて、直径が略一定である部分の打球部、直径が徐々に細くなる部分のテーパー部、打撃時に打者の握る部分のグリップ部、もう一方の先端にあってグリップ部の直径より大きな円盤状のグリップヘッドの各部より構成される。グリップ部がグリップヘッドから１８インチ（４５７ｍｍ）である以外に、各部の寸法に規格はなく、打者は各々のくせや好みの応じて、寸法の異なるバットを使用することができる。
【００１４】
一方、野球ボールは、コルク、ゴムまたはこれに類する材料の小さな芯に糸を巻きつけ、白色の馬皮または牛皮二片でこれを包み、頑丈に縫い合わせて作られたものであり、重量は５〜５．２５オンス（１４１．７〜１４８．８グラム） 、周囲は９〜９.２５インチ（２２９〜２３５ｍｍ）が規格である。したがって、直径は７２〜７５ｍｍの範囲にある。
【００１５】
本考案では、野球バット表面に野球ボールを載置できる凹部が設置される。野球ボールを鑑賞する目的で凹部に載置するので、該凹部は載置した野球ボールが転動しない大きさ及び形状であることを必要とする。その結果、野球バットの打球部に設置できる凹部の数は１〜４に限られる。
また、野球バット打球部の直径が７０ｍｍを上回ることができないため、凹部は最大幅（凹部が円形状である場合はその直径）２０〜４０ｍｍ、好ましくは略３０ｍｍである。さらに凹部は、打球部表面からの最大深さが２〜１５ｍｍ、好ましくは４〜１０ｍｍである。野球ボールの球面形状を考慮すれば、凹部の最大幅に対しその深さを無制限に大きくしても、一定以上の深さの場合、ボールは凹部底面に接触することがないためである。
これを野球ボールについて見れば、上述の凹部に載置した場合、ボールの７分の１から３分の１がもとの野球バットの表面の下に位置することになる。
【００１６】
木製バット表面を加工して凹部を設置する場合、野球バットの中心軸方向に向かって、上述の大きさである円柱又は底面が多角形の角柱を刳り抜いて凹部とすることができる。このとき、当初の野球バット打球部表面と刳り抜いた後に形成される野球バットの中心軸に対し垂直な面とのエッジ部分を面取りすることにより、野球ボールとや加工後の野球バットとの接触面を広くし、両者の間に働く摩擦力を利用して野球ボールの転動を防止することができる。
【００１７】
本考案では、野球バット表面に、スター選手のサインのあるカード又は該カードを収納するカードケースを挿入できるスリットが設置される。サインカードを鑑賞する目的でスリットを設置するので、該スリットは挿入したカード又はカードケースが転倒しない深さであることを必要とする。スリットの数は特に限定しないが、１〜４が好ましい。
また、スリットは前記凹部と交差するように設置することができる。この場合、凹部が複数個設置され、載置する野球ボールの数が凹部の数少ない場合であっても、ボールの載置されていない凹部の位置にカード又はカードケースを飾ることができるため、空間を有効に活用し、飾り全体として美しく見せることが可能である。
【００１８】
野球バットには、バット中心軸とバット内部において交点を有する平面を切り出し、野球バットと床面の接触面積を広くして、バットの動転を防止することができる。この切断面には、凹凸を設ける等の滑り止め加工を施すことによって、さらにバットの動転を防止することができる。
【００１９】
本来、野球バットそのものの重心は打球部内部に位置する。切断面を設けた後のバットでバットの先端部近くにボールを載置した場合、やはり重心がバット先端近くに位置すると、バットそのものが動転しやすい。そこで、バットそのものの動転の防止及び載置した野球ボールの動転の防止のため、先端近辺に支持台を設置することができる。
支持台は野球バット先端近辺と床面の間に形成される空間を充足する形状及び材質であれば特に制限されないが、グリップヘッド及びグリップ部からなる部分を用いて、バット打撃部が嵌め込むことのできる円柱状の刳り抜きを作成し、バット先端に対し枕となるよう支持台を設けることができる。
【００２０】
野球バットは、シリアル番号の記載されたホログラムシールを付し、該バットの履歴等に関する情報への接触又は認証が可能としてもよい。履歴を知ることのできる又は履歴の保証されるバットは、情報が付加されて、より記念的価値が高い。ホログラムシールを付する箇所は、特に限定されない。
ホログラムシールの使い方としては、偽造できない２部について、一部つはバットに、一部を鑑定書に付す方法があげられる。また、シリアル番号から野球バットの履歴を検索できるよう、データベースを構築する利用法もあげられる。
【考案の効果】
【００２１】
本考案の野球ボール用飾り台は、記念ボールを保存、展示しておくために使用することができる。台の素材は、従来品に比し安価なものを使用することができ、コスト面で有利である。
【００２２】
本考案は折れた木製バットに適用できるため、コスト負担にならないうえ、資源の有効活用に大きく寄与する。すなわち、本考案の実施態様にしたがえば、スター選手が使用した木製バットから作製される載置台に載置された記念ボールは、バットの履歴に由来する記念的価値を有した載置台と相俟って、鑑賞者にいっそう強烈な印象を与えることができる。
【００２３】
野球ボールのみならず飾り台の素材となった野球バットも、スター選手の使用した等の履歴のある場合は、それぞれ単独で飾るより大きな記念的価値を周囲に印象付けることができる。
【００２４】
従来、使用中に折れたバットは廃棄するか、箸に加工するかしか用途が見出せなかったが、本考案の野球ボール用飾り台に使用することができるため、資源の再利用、環境負荷の低減に寄与する。
【図面の簡単な説明】
【００２５】
【図１】本考案の野球ボール用飾り台に用いる一般的な野球バットの（ａ）は折れる前、（ｂ）は折れた状態を示す斜視図。
【図２】本考案の一実施の形態の野球ボール用飾り台の（ａ）平面図、（ｂ）斜視図、（ｃ）図２（ａ）ｃ−ｃ断面図である。
【図３】図２に示す実施の形態の野球ボール用飾り台の底面図である。
【図４】図２に示す実施の形態の野球ボール用飾り台の左側面図である。
【図５】図２に示す実施の形態の野球ボール用飾り台部品の（ａ）平面図、（ｂ）側面図、（ｃ）底面図である。
【図６】本考案の野球ボール用飾り台の（ａ）他の実施の形態の平面図、（ｂ）さらに他の実施の形態の平面図、（ｃ）また別の実施の形態の平面図、（ｄ）更に又別の実施の形態の平面図、である。
【図７】図６（ｄ）に示す実施の形態の野球ボール用飾り台の使用状態を示す斜視図である。
【考案を実施するための形態】
【００２６】
以下、本考案を実施するための形態を図に基づいて説明する。
図１（ａ）は、単一の野球バット１を示し、図１（ｂ）は単一の野球バット１が折れることによって得られる打球部２とグリップ部３とを示す。
図２は本考案の一実施の形態の野球ボール用飾り台４を上から見た図であり、凹部５を設けた打球部２と、この打球部２と床面６の間に位置して打球部２の転動を防止する支持台７により構成されている。
【００２７】
凹部５は、所望に従い設けることができるが、幅は２０〜４０ｍｍ、打球部２表面からの最大深さは２〜１５ｍｍの範囲にすることができる。好ましくは、直径略３０ｍｍの円形状で、深さが４〜１０ｍｍである。この範囲を外れると、載置したボール８が安定しない、若しくは凹部５設置の加工が困難になる等、問題点を有する。
【００２８】
凹部５において、打球部２表面と凹部５に生じた深さ方向の面のエッジ部９が直角又は鋭角である場合、ボールと野球ボール用飾り台４の接触する面が狭くなり、転動を防止するに有効な摩擦力を利用することのできない事態が生じうる。ここにおいて、図２に示すように、エッジ部９を面取りした面取り部１０を形成して、ボール８と野球ボール用飾り台４の接触面を広げ、ボール８の転動を防止することができる。
【００２９】
また、打球部２表面に、サインカード（図示せず）又はサインカードを挟んだカードホルダー（図示せず）を挿入できるスリット１１を設けることができる。スリット１１は挿入したサインカードが直立して転倒しない程度の深さでよく、２〜１０ｍｍの範囲で製作することができる。
スリット１１は、凹部５と並設してもよく、また、凹部５と交差するように形成してもよい。
【００３０】
打球部２には、打球部２そのものの転動を防止する目的で、図３に示すように、床面６と接触する平面１２を設けることができる。具体的には、打球部２の中心軸と打球部２の内部において交点を有する平面に沿って打球部２を切断し、平面１２を露出させ、作製する。
このようにして得られた平面１２には、滑り止め加工を施すことができる。
【００３１】
野球バット１は、重心近辺以外に過度の力が負荷されると、とりわけ、直径の細い部分が折れやすい。したがって、折れた野球バット１を利用して本考案を実施する場合、支持台７はグリップ部３を切り出して製作することができる。ここにおいて、図４に示すように、打球部２が嵌るようにグリップ部３に打球部２の直径に合わせて刳り抜いた刳り抜き部１３を形成し。この刳り抜き部１３に打球部２を載置するようにすれば、打球部２が安定して動転しない。
【００３２】
図５に示す様に支持台７はグリップ部３のグリップエンド１４と本体部１５とからなり、本体部１５に打球部２の先端部近傍外周湾曲部分２ａの曲率と整合する曲率を有する刳り抜き部１３が形成される。
一方本体部１５の刳り抜き部１３が形成される側部と逆側の側部にはテーパ面１５ａが形成される。このテーパ面１５ａを有することによって、刳り抜き部１３に打球部２の先端部近傍外周湾曲部分２ａを嵌合させた状態でグリップ部３が元々有する弾性と打球部２の重量とがバランスしてグリップエンド１４の一部とテーパ面１５ａの全面が床面６に当接して支持台７によって打球部２先端が支持される。またその状態で図２、図３に示すように、支持台７と平面１２とによって、打球部２全体が床面６上に安定して催置され、先端部近傍外周湾曲部分２ａを有する打球部２が床面６上を転動することが防止される。
【００３３】
図６は本考案の野球ボール用飾り台の様々な実施の形態を示し、図６（ａ）は打球部２に２個の凹部５を形成する態様、図６（ｂ）は打球部２に単一の凹部５を形成する態様を示す。図６（ｃ）は打球部２に２個の凹部５を形成し、各々の凹部５に交差してサインカード又はサインカードを挟んだカードホルダー挿入スリット１１を形成する態様を示す。
さらに図６（ｄ）は打球部２側部にホログラムシール１６を付した実施の形態を示す。
野球ボール用飾り台４は、図１（ｂ）に示す様に折れて使用できない、又は、当初の形態を保持していない野球バット１であっても、スター選手の使用した野球バット１であれば、愛好者に強い印象を与える履歴を有している。そこで、履歴に関する情報を素早く引き出すことができるよう、飾り台４にはシリアル番号を記載したホログラムシール１６を付すことができる。例えば、シリアル番号から野球バット１の履歴を検索したり、ホログラムシール１６より履歴の認証を得る等の使用がある。
【００３４】
図７は図６（ｄ）に示す実施の形態の野球ボール用飾り台４に実際にボール８を載置し、更にホログラムシール１６を付すと共に、ホログラムシール１６を付したサインカードを挟んだカードホルダー１７を挿入スリット１１に挿入した実施の形態を示す。
【符号の説明】
【００３５】
１・・・単一の野球バット、２・・・打球部、３・・・グリップ部、４・・・野球ボール用飾り台、５・・・凹部、６・・・床面、７・・・支持台、８・・・ボール、９・・・エッジ部、１０・・・面取り部、１１・・・スリット、１２・・・平面、１３・・・刳り抜き部、１４・・・グリップエンド、１５・・・本体部、１５ａ・・・テーパ面、１６ホログラムシール。
【図１】
0003201067.tif 000003
【図２】
0003201067.tif 000004
【図３】
0003201067.tif 000005
【図４】
0003201067.tif 000006
【図５】
0003201067.tif 000007
【図６】
0003201067.tif 000008
【図７】
0003201067.tif 000009